(57)【特許請求の範囲】
【請求項１】
筒状のダクトであって空気とガスが通過する管形状部と、
前記管形状部内に位置し、ボディ部を備えるダンパー部であって、前記ボディ部が、前記管形状部の横断面方向の水平面の方向と前記水平面に対して直交する垂直面の方向との間で回転しながら２次空気の流れを開閉し、前記ボディ部の中央に前記管形状部の径より小径に形成された１次空気の通路となる中央通路が形成され、前記ボディ部に１次ガスを流出するダンパー部側の１次ガス出口が形成され、前記ボディ部に２次ガスを流出するダンパー部側の２次ガス出口が形成されたダンパー部と、
前記ダンパー部の側面に回転軸を有して連結され、前記水平面と前記垂直面に前記ダンパー部を回転駆動する駆動部と、
前記ダンパー部側の１次ガス出口と連通するガス流入部側の１次ガス出口と、
前記ダンパー部の回転位置によって前記ダンパー部側の２次ガス出口と選択的に連通するガス流入部側の２次ガス出口を有し、前記ダンパー部を介してガスを管形状部に導入し、前記駆動部の回転軸とともにダンパー部の回転軸を形成するガス流入部と、
を備えることを特徴とするデュアルベンチュリ。
【請求項２】
前記駆動部は、同期モータを含み、前記駆動部の前記回転軸は同期モータの回転軸であることを特徴とする、請求項１に記載のデュアルベンチュリ。
【請求項３】
前記ガス流入部側の２次ガス出口は、前記ダンパー部の前記ボディ部の前記上部表面が前記垂直面の方向に位置するとき、前記ダンパー部側の２次ガス出口と連通することを特徴とする、請求項１に記載のデュアルベンチュリ。
【請求項４】
前記駆動部は、前記ダンパー部の前記垂直面の方向位置及び前記水平面の方向位置を表示するリミットスイッチを含むことを特徴とする、請求項１に記載のデュアルベンチュリ。
【請求項５】
前記ダンパー部の前記中央通路は、ベンチュリ形状であることを特徴とする、請求項１に記載のデュアルベンチュリ。
【請求項６】
前記管形状部は、中間の径幅が中間から上端と下端へ進むにつれて径幅が大きくなることを特徴とする、請求項１に記載のデュアルベンチュリ。
【請求項７】
前記ダンパー部側の１次ガス出口は、前記中央通路に形成されることを特徴とする、請求項１から請求項６のいずれか１項に記載のデュアルベンチュリ。
【請求項８】
前記ダンパー部側の２次ガス出口は、前記ボディ部が前記水平面の方向に位置するとき、前記管形状部の上側方向を向くように外側表面に形成されることを特徴とする、請求項１に記載のデュアルベンチュリ。
【請求項９】
前記ダンパー部側の２次ガス出口は、前記ボディ部が前記水平面の方向に位置するとき、前記管形状部の上側方向及び下側方向の両方を向くように外側表面に形成されることを特徴とする、請求項１に記載のデュアルベンチュリ。
【請求項１０】
前記ガス流入部側の２次ガス出口は１つだけ形成され、前記ダンパー部が前記垂直面の方向に位置するとき、前記ダンパー部側の２次ガス出口に連通することを特徴とする、請求項８または９に記載のデュアルベンチュリ。
【請求項１１】
前記ガス流入部側の２次ガス出口は２つ形成され、前記ダンパー部が前記垂直面の方向に位置するとき、前記ダンパー部側の２次ガス出口に連通することを特徴とする、請求項８または９に記載のデュアルベンチュリ。
【請求項１２】
空気とガスが通過する筒状ダクトであって側面に１次ガス流入部を有する管形状部と、
前記管形状部内に位置し、上部表面を有するボディ部であって、前記上部表面が、前記管形状部の横断面方向の水平面の方向と、前記水平面に対して直交する垂直面の方向との間で回転しながら２次空気の流れを開閉するボディ部と、
前記ボディ部の周面の一部を除去した空間であって、前記ボディ部が前記水平面の方向に置かれるとき、管形状部の内径面の周面とともに形成された通路を通じて管形状部の通路方向に１次空気の通路となる切欠部及びダンパー部側の２次ガス出口を有するダンパー部と、
前記ダンパー部の側面に回転軸を有して連結され、前記水平面と前記垂直面に前記ダンパー部を回転駆動する駆動部と、
前記ダンパー部の回転位置によって前記ダンパー部側の２次ガス出口と選択的に連通する２次ガス流入部側出口を有し、前記ダンパー部を介して２次ガスを管形状部に導入し、前記駆動部の回転軸とともにダンパー部の回転軸を形成する２次ガス流入部と、
を備えることを特徴とするデュアルベンチュリ。
【請求項１３】
前記駆動部は同期モータを含み、前記駆動部の前記回転軸は前記同期モータの回転軸であることを特徴とする、請求項１２に記載のデュアルベンチュリ。
【請求項１４】
前記２次ガス流入部側出口は、前記ダンパー部の前記ボディ部の前記上部表面が前記垂直面の方向に位置するとき、前記ダンパー部側の２次ガス出口と連通することを特徴とする請求項１２に記載のデュアルベンチュリ。
【請求項１５】
前記駆動部は、前記ダンパー部の前記垂直面の方向の位置及び前記水平面の方向の位置を表示するリミットスイッチを含むことを特徴とする、請求項１２に記載のデュアルベンチュリ。
【請求項１６】
前記管形状部は、中間の径幅が中間から上端と下端へ進むにつれて径幅が大きくなることを特徴とする、請求項１２に記載のデュアルベンチュリ。
【請求項１７】
前記１次ガス流入部は、前記ボディ部の前記上部表面が前記水平面の方向に位置するとき、前記切欠部と対向するところに位置することを特徴とする、請求項１２から請求項１６のいずれか１項に記載のデュアルベンチュリ。
【請求項１８】
前記ダンパー部側の２次ガス出口は、前記ボディ部が前記水平面の方向に位置するとき、前記管形状部の上側方向を向くように外側表面に形成されることを特徴とする、請求項１２に記載のデュアルベンチュリ。
【請求項１９】
前記ダンパー部側の２次ガス出口は、前記ボディ部が前記水平面の方向に位置するとき、前記管形状部の上側方向及び下側方向の両方を向くように外側表面に形成されることを特徴とする、請求項１２に記載のデュアルベンチュリ。
【請求項２０】
前記２次ガス流入部側出口は１つだけ形成され、前記ダンパー部が前記垂直面の方向に位置するとき、前記ダンパー部側の２次ガス出口に連通することを特徴とする、請求項１８または１９に記載のデュアルベンチュリ。
【請求項２１】
前記２次ガス流入部側出口は２つ形成され、前記ダンパー部が前記垂直面の方向に位置するとき、前記ダンパー部側の２次ガス出口に連通することを特徴とする、請求項１８または１９に記載のデュアルベンチュリ。
【発明の詳細な説明】
【技術分野】
【０００１】
本発明は、流体供給レベルを二段階にて提供する給湯器用デュアルベンチュリ（ｄｕａｌ  ｖｅｎｔｕｒｉ）に関し、特にガス給湯器で空気とガスの供給レベルを二段階にて提供する給湯器用デュアルベンチュリに関するものである。
【背景技術】
【０００２】
一般にガス給湯器システムは暖房用ではなく、洗面若しくはシャワーなどを浴びるとき、低温の真水を温めて温水にして供給し、生活の便宜を提供する暖房機器であって、瞬間式ガス給湯器システムと貯蔵式ガス給湯器システムの二つの方式がある。
上記方式のうち、瞬間式ガス給湯器システムは、瞬間式熱交換器を用いて真水を瞬間的に所望の量だけ加熱して温水を出湯する構成を有し、貯蔵式ガス給湯器システムは、貯蔵タンク中に温水を溜めて一定の温度に保持且つ供給することができる構成を有する。
【０００３】
上述の二つ方式のガス給湯システムには、低温の真水を加熱するための加熱手段が備えられ、前記加熱手段は、ガス調節器を介して供給されるガスと、送風機を介して供給される空気が混合バルブによって混合され、その混合ガスがバーナーに供給される。
【先行技術文献】
【特許文献】
【０００４】
【特許文献１】韓国登録特許１０‐１１３５０２号公報
【発明の概要】
【発明が解決しようとする課題】
【０００５】
上記特許文献１は、瞬間式ガス給湯器と貯蔵式ガス給湯器を複合的に製作してコンパクトでありながらも、冷水と温水の温度差を低減して安定的にガス給湯器が用いられるようにする複合形ガス給湯器システムに関するものである。
上記特許文献１において、バーナー２８に空気及びガスを供給する方法は、図１１に示すようにガスの量を調節するガス調節器２２を介して供給されるガスが、ノズル２６を通じて上部へ熱を放出する構造である。このとき、前記バーナー２８へ送風機２４が空気を供給することで、ガスの燃焼率を高めるものである。
【０００６】
しかしながら、上述したガス給湯器システムは、単に空気とガスが混合されてバーナーに供給される構造であって、ユーザーが必要とする温水を加熱するためのバーナー熱量の多寡に応じてガス及び空気の供給量を制御する機能がないことから、熱量によって温水器を製作しなければならないので、製作コストが増加するという問題点がある。
本発明は、上記課題を解決するためのものであって、複雑な構造をより簡素化して装置をコンパクト化しながらも、作動の信頼性が高くて製造が容易であり、かつ製造コストを低減できる給湯器用デュアルベンチュリを提供することを目的とする。
【課題を解決するための手段】
【０００７】
前記目的を具現するための本発明の第１の構成特徴は、デュアルベンチュリであって、空気とガスが通過する管形状部と、前記管形状部内に位置し、上部表面を有するボディ部であって、前記上部表面が、前記管形状部の横断面方向の水平面の方向と、前記水平面に対して直交する垂直面の方向との間で回転しながら２次空気の流れを開閉するボディ部と、前記ボディ部の中央に前記管形状部の径より小径に形成された１次空気の通路となる中央通路と、１次ガスを流出するダンパー部側の１次ガス出口と、２次ガスを流出するダンパー部側の２次ガス出口を有するダンパー部と、前記ダンパー部の側面に回転軸を有して連結され、前記水平面と前記垂直面に前記ダンパー部を回転駆動する駆動部と、前記ダンパー部側の１次ガス出口と連通するガス流入部側の１次ガス出口と、前記ダンパー部の回転位置によって前記ダンパー部側の２次ガス出口と選択的に連通するガス流入部側の２次ガス出口を有し、前記ダンパー部を介してガスを管形状部に導入し、前記駆動部の回転軸とともにダンパー部の回転軸を形成するガス流入部と、を備える。
【０００８】
好ましくは、前記駆動部は、同期モータを含み、前記駆動部の前記回転軸は同期モータの回転軸である。
好ましくは、前記ガス流入部側の２次ガス出口は、前記ダンパー部の前記ボディ部の前記上部表面が前記垂直面の方向に位置するとき、前記ダンパー部側の２次ガス出口と連通する。
【０００９】
好ましくは、前記駆動部は、前記ダンパー部の前記垂直面の方向の位置及び前記水平面の方向の位置を表示するリミットスイッチを含む。
好ましくは、前記ダンパー部の前記中央通路は、ベンチュリ形状である。
好ましくは、前記管形状部は、中間の径幅が中間から上端と下端へ進むにつれて径幅が大きくなる。
【００１０】
好ましくは、前記ダンパー部側の１次ガス出口は、前記中央通路に形成される。
好ましくは、前記ダンパー部側の２次ガス出口は、前記ボディ部が前記水平面の方向に位置するとき、前記管形状部の上側方向を向く外側表面に形成される。
好ましくは、前記ダンパー部側の２次ガス出口は、前記ボディ部が前記水平方向に位置するとき、前記管形状部の上側方向及び下側方向の両方を向くように外側表面に形成される。
【００１１】
好ましくは、前記ガス流入部側の２次ガス出口は１つだけ形成され、前記ダンパー部が前記垂直面の方向に位置するとき、前記ダンパー部側の２次ガス出口に連通する。
好ましくは、前記ガス流入部側の２次ガス出口は２つ形成され、前記ダンパー部が前記垂直面の方向に位置するとき、前記ダンパー部側の２次ガス出口に連通する。
【００１２】
上記の目的を具現するための本発明の第２の構成特徴は、デュアルベンチュリであって、空気とガスが通過し、筒状ダクトであって側面に１次ガス流入部を有する管形状部と、前記管形状部内に位置し、上部表面を有するボディ部であって、前記上部表面が、前記管形状部の横断面方向の水平面の方向と、前記水平面に対して直交する垂直面の方向との間で回転しながら、２次空気の流れを開閉するボディ部と、前記ボディ部の周面の一部を除去した空間であって、前記ボディ部が前記水平面の方向に置かれるとき、管形状部の内径面の周りとともに形成された通路を通じて管形状部の通路方向に１次空気の通路となる切欠部、及びダンパー部側の２次ガス出口を有するダンパー部と、前記ダンパー部の側面に回転軸を有して連結され、前記水平面と前記垂直面に前記ダンパー部を回転駆動する駆動部と、前記ダンパー部の回転位置によって前記ダンパー部側の２次ガス出口と選択的に連通する２次ガス流入部側出口を有し、前記ダンパー部を介して２次ガスを管形状部に導入し、前記駆動部の回転軸とともにダンパー部の回転軸を形成する２次ガス流入部と、を備える。
好ましくは、前記１次ガス流入部は、前記ボディ部の前記上部表面が前記水平面の方向に位置するとき、前記切欠部と対向するところに位置する。
【発明の効果】
【００１３】
上述の構成特徴を通じて本発明は以下のような効果が得られる。
第１の実施例の場合、第一に、モータ回転軸とダンパー部が直接連結されてダンパーが回転し、円筒状のガス流入部の一方の開口を１次ガス出口とし、他方の壁にスロット状開口を形成して２次ガス出口とし、また、ダンパー部の回転によって２次ガス出口を開閉するとともに、２次空気通路をも開閉するので、その構造が簡素化される。
【００１４】
第二に、モータ回転軸及び円筒状のガス流入部をダンパー部の回転軸として用いるので、別個の回転軸を設ける必要がなく、さらにこのダンパー部の回転によって停止されたガス流入部の２次ガス出口が開閉されるので、その構造の簡素化に加えて作動の信頼性も高くなる。
第三に、２次側の空気ダクトとなる管形状部は、一般に広く用いられている空調設備を利用できることから、製造が容易である。
【００１５】
第四に、同期モータを用いて駆動部のモータの回転軸にダンパー部が直接連結される構造であるため、ワイヤやスプリングのような更なる構成要素を必要としないことから構造がよりコンパクト化して、全体容積を減らすことができる。
第五に、前記第一から第四の理由によって、構造の簡素化、及び製造コストの低減を図ることができる。
【００１６】
第２の実施例の場合、第１の実施例に係る効果に加えて、管形状部の側壁一部に１次ガス流入部を形成し、モータ回転軸とダンパー部が直接連結されてダンパー部が回転し、円筒状の２次ガス流入部の一側開口を２次ガス出口としてダンパー部の回転によって２次ガス出口を開閉するとともに、２次空気通路をも開閉するので、その構造が簡素化される。
【図面の簡単な説明】
【００１７】
【図１】本発明の第１の実施例に係るデュアルベンチュリの分解斜視図である。
【図２ａ】本発明の第１の実施例であって、ダンパー部が閉じられた状態を示すデュアルベンチュリの縦断面図である。
【図２ｂ】本発明の第１の実施例であって、ダンパー部が開かれた状態を示すデュアルベンチュリの縦断面図である。
【図３ａ】本発明の第１の実施例に係るダンパー部が閉じられたデュアルベンチュリの状態を示す斜視図である。
【図３ｂ】本発明の第１の実施例に係るダンパー部が閉じられたデュアルベンチュリの状態を示す平断面図である。
【図３ｃ】本発明の第１の実施例に係るダンパー部が閉じられたデュアルベンチュリの状態を示し、ガス流入部とダンパー部の各２次ガス出口との位置関係を示す断面図である。
【図４ａ】本発明の第１の実施例に係るダンパー部が開かれたデュアルベンチュリの状態を示す斜視図である。
【図４ｂ】本発明の第１の実施例に係るダンパー部が開かれたデュアルベンチュリの状態を示す平断面図である。
【図４ｃ】本発明の第１の実施例に係るダンパー部が開かれたデュアルベンチュリの状態を示し、ガス流入部とダンパー部の各２次ガス出口との位置関係を示す断面図である。
【図５ａ】駆動部のリミットスイッチにおいてそのダンパー部とガス流入部側の２次ガス出口の位置関係を示すリミットスイッチの平面図である。
【図５ｂ】駆動部のリミットスイッチにおいてそのダンパー部とガス流入部側の２次ガス出口の位置関係を示すリミットスイッチの側面図である。
【図６】本発明の第２の実施例に係るデュアルベンチュリの分解斜視図である。
【図７ａ】本発明の第２の実施例のデュアルベンチュリであって、ダンパー部が閉じられた状態を示す縦断面図である。
【図７ｂ】本発明の第２の実施例のデュアルベンチュリであって、ダンパー部が開かれた状態を示す縦断面図である。
【図８ａ】本発明の第２の実施例に係るダンパー部が閉じられたデュアルベンチュリの状態を示す斜視図である。
【図８ｂ】本発明の第２の実施例に係るダンパー部が閉じられたデュアルベンチュリの状態を示す平断面図である。
【図８ｃ】本発明の第２の実施例に係るダンパー部が閉じられたデュアルベンチュリの状態を示し、２次ガス流入部とダンパー部の各２次ガス出口との位置関係を示す断面図である。
【図９ａ】本発明の第２の実施例に係るデュアルベンチュリにおいてダンパー部が開かれた状態を示す平断面図である。
【図９ｂ】本発明の第２の実施例に係るデュアルベンチュリにおいてダンパー部が開かれた状態を示し、２次ガス流入部とダンパー部の各２次ガス出口との位置関係を示す断面図である。
【図１０ａ】駆動部のリミットスイッチにおけるそのダンパー部と２次ガス流入部側の２次ガス出口の位置関係を示す平面図である。
【図１０ｂ】駆動部のリミットスイッチにおけるそのダンパー部と２次ガス流入部側の２次ガス出口の位置関係を示す側面図である。
【図１１】従来技術を示す図である。
【発明を実施するための形態】
【００１８】
以下、本発明の第１の実施例について図面を参照してより詳細に説明する。
先ず、図１、図２ａ及び図２ｂを参照して、デュアルベンチュリの全体構造を説明する。図１は本発明の第１の実施例に係るデュアルベンチュリの構造を説明する分解斜視図である。図２ａは本発明に係る第１の実施例であって、ダンパー部が閉じられた状態を示すデュアルベンチュリの縦断面図であり、図２ｂはダンパー部が開かれた状態を示すデュアルベンチュリの縦断面図をそれぞれ示す。
【００１９】
本発明に係るデュアルベンチュリは、空気が貫通する通路ダクトとしての管形状部４０と、その管形状部４０に位置しながら管形状部４０の下段４３から上段４４の方向に進む２次空気通路を開閉するダンパー部２０と、管形状部４０の側面に位置しながら管形状部側の第２の孔４２を介して挿入されたモータの回転軸１５がダンパー部側の第１の孔２３に結合されてダンパー部２０を回転させる駆動部１０と、そして管形状部４０の第１の孔を介して１次ガスと２次ガスを供給する円筒状のガス流入部３０とから構成される。
【００２０】
図１に示すように、本実施例の管形状部４０は、中央部の径が上下両端部側の径よりも小径になっていて、その通路が狭く形成されている。この形状は、図２ａ及び図２ｂからより明らかになっている。しかしながら、管形状部４０の形状は、上下が一様の円筒状にすることもでき、本発明においては、特にその形状を特定するものではない。
上記のダンパー部２０は、全体がドーナツ形状のボディ部２９と、さらにこのボディ部の中央は中央通路２１が形成され、このボディ部の上部表面には２次ガスが出るスロット状の孔が３つ形成されたダンパー部側の２次ガス出口２２を有しており、これに対称するボディ部２９にもまた２次ガス出口を有してもよい。即ち、図２ａにおいてダンパー部２０の上部面に形成されたダンパー部側の２次ガス出口２２が対応する下部表面にも形成されていることが確認できる。スロット状の孔の個数は必要に応じて適宜定めることもでき、その形状も変更できる。
【００２１】
また、ダンパー部２０の中央通路２１は、閉鎖状態で１次空気が移動する通路である。本発明に係る第１の実施例として、２次空気通路である管形状部４０の形状と類似するベンチュリ形状であることが確認できる。図２ａ及び図２ｂに示すように、ダンパー部２０の中央通路２１には１次ガスが出るダンパー部側の１次ガス出口２４が形成されている。
ガス流入部３０は、円筒状になっており、管形状部側の第１の孔４１を介して挿入されてダンパー部側の第２の孔２７に結合される。この場合、ガス流入部３０は回転しないが、ダンパー部２０は回転できるので、ガス流入部３０は、モータの回転軸１５と相俟ってダンパー部２０を回転させるための固定軸としての機能も兼ねている。ガス流入部３０のダンパー部側の開口は、ガス流入部側の１次ガス出口３３となり、ダンパー部側の１次ガス出口２４と常時解放あるいは連通された状態を維持する。ガス流入部３０のダンパー部側付近の周りには、ダンパー部側の２次ガス出口２２と一致する形状のガス流入部側の２次ガス出口３２が形成されている。ガス流入部側の２次ガス出口３２も対称形状に管の両方に出口を形成してもよいし、片側だけに出口を形成してもよい。図２ａは、ダンパー部２０が閉鎖された状態、即ち、管形状部４０の上下方向の通路が塞がりダンパー部２０の中央通路２１だけが管形状部４０の１次空気通路として用いられる状態を示す。言い換えれば、管形状部４０の横断面方向、即ち、水平面にダンパー部２０が置かれていて、ガス流入部側の１次ガス出口３３だけがダンパー部側の１次ガス出口２４で開かれ、ガス流入部側の２次ガス出口３２は閉鎖された状態を示す。
【００２２】
図２ｂは、ダンパー部２０が開放された状態、即ち、管形状部４０の上下方向の通路が開かれて、実質的に管形状部４０の横断面方向の水平面の大部分が空気通路として用いられる状態であって、いわば２次空気が通じる状態を示す。この場合、ダンパー部２０は、水平面に対して直交する垂直面に置かれて、ガス流入部側の１次ガス出口３３は言うまでもなく、ガス流入部側の２次ガス出口３２もダンパー部側の２次ガス出口２２と一緒に開かれた状態となる。これによって、１段階流通と２段階流通の両機能がともに行われることになる。
【００２３】
次に、図３ａから図５ｂを参照して、本発明の第１の実施例に係るデュアルベンチュリの動作を説明しながら、上述の構成説明において十分に説明されていない構成部分を更に説明する。
先ず、図３ａ、図３ｂ及び図３ｃは、本発明の第１の実施例に係るダンパー部２０が閉じられたデュアルベンチュリの状態を示す図であって、図３ａは斜視図であり、図３ｂは平断面図である。そして図３ｃはガス流入部とダンパー部の各２次ガス出口との位置関係を示す断面図である。図３ａの斜視図に示すように、ダンパー部２０が閉鎖される場合、管形状部４０とダンパー部２０との位置関係は、管形状部４０の上下方向の空気通路全体をダンパー部２０が遮断した状態であり、ダンパー部２０の中央通路２１だけが実質的に管形状部４０の空気通路（１次空気通路）となる。即ち、ダンパー部２０が管形状部４０の横断面方向の水平面に置かれ、このとき、図３ｂから確認されるように、ガス流入部側の１次ガス出口３３だけがダンパー部側の１次ガス出口２４と連通して中央通路２１へ１次ガス５１が流れるようになり、ガス流入部側の２次ガス出口３２は、図３ｃに示すように、ダンパー部側の第２の孔２７の壁に塞がれて閉鎖される。即ち、閉鎖状態では、管形状部４０を通じて相対的に少量の１次空気と１次ガスが送られることになる。
【００２４】
図４ａ、図４ｂ及び図４ｃは本発明に係る第１の実施例であって、ダンパー部が開かれたデュアルベンチュリの状態を示す図であって、図４ａは斜視図であり、図４ｂは平断面図である。そして、図４ｃはガス流入部とダンパー部の各２次ガス出口との位置関係を示す断面図である。
図４ａの斜視図に示すように、ダンパー部２０が開放される場合、管形状部４０とダンパー部２０との位置関係は、管形状部４０の上下方向の空気通路全体をダンパー部２０が実質的に開放する状態であって、通路全体が空気の通路となる（２次空気通路）。即ち、管形状部４０の横断面方向に対し垂直面に、言い換えれば、ダンパー部２０が閉鎖状態に置かれた水平面方向に対して垂直方向に立てて置かれ、このとき、図４ｂに示すように、ガス流入部側の１次ガス出口３３とダンパー部側の１次ガス出口２４が連通して１次ガス５１が流れるのは言うまでもなく、ガス流入部側の２次ガス出口３２の方も開かれて２次ガス５２が流れ出る。
【００２５】
図４ｃを参照すれば、ダンパー部側の第２の孔２７の壁に形成されたダンパー部側の２次ガス出口２２とガス流入部側の２次ガス出口３２が一致して相互に連通していることが分かる。
本実施例におけるガス流入部側の２次ガス出口３２は、円周の片側だけに形成されてダンパー部２０の一つの側面の表面（例えば、管形状部４０の上下方向のうち、上方向側面）にだけ２次ガス５２が噴出されるが、例えば、円筒状のガス流入部３０の壁側の円周の反体側（即ち、１８０°の方向）にもガス流入部側の２次ガス出口３２を設けてダンパー部２０の上下方向へ２次ガスが噴出されるようにしてもよい。
【００２６】
本実施例におけるダンパー部側の１次ガス出口２４は、ガス流入部側の１次ガス出口３３の開口よりは、断面積が小さく設定されており、その相互間の開口比率は必要に応じて適宜に設定できる。
図５ａ及び図５ｂは、駆動部のリミットスイッチにおいてそのダンパー部とガス流入部の２次ガス出口の位置関係を示す図であって、図５ａは平面図であり、図５ｂは側面図をそれぞれ示す。
【００２７】
図５ａのリミットスイッチ１１において、符号１１ａと１１ｂはダンパー部側の２次ガス出口位置点を示し、１１ｃと１１ｄはガス流入部側の２次ガス出口位置点をそれぞれ示し、１１ｇはダンパー部側の位置探針棒、１１ｈはガス流入部側の位置探針棒をそれぞれ示す。ダンパー部側の位置探針棒１１ｇにダンパー部側の２次ガス出口位置点１１ａ、１１ｂのいずれかが位置し、同様にガス流入部側の位置探針棒１１ｈにガス流入部側の２次ガス出口位置点１１ｃ、１１ｄのいずれかが位置すれば、この場合は図３ｃのように２次空気と２次ガスが遮断された状態になる。即ち、ダンパー部２０が水平方向位置にある状態を示す。
【００２８】
そして、逆にダンパー部側の位置の探針棒１１ｇにガス流入部側の２次ガス出口位置点１１ｃ、１１ｄのいずれかが位置し、同様にガス流入部側の位置探針棒１１ｈにダンパー部側の２次ガス出口位置点１１ａ、１１ｂのいずれかが位置すれば、この場合は、図４のように２次空気と２次ガスが開放されて管形状部４０へ流れる状態になる。即ち、ダンパー部２０が垂直方向位置にある状態を示す。
【００２９】
図５ｂを参照すれば、駆動部１０に含まれるモータ１３には同期式モータを用い、モータ１３の回転軸１５がダンパー部側の第１の孔２３に直接的に結合することができ、ＡＣモータを使用する従来技術において必然的に備えらなければならないワイヤ、復帰スプリングなどの構成要素を省けることから、本発明に係るデュアルベンチュリの構造がこの点においても従来技術に比べてより簡素化できる。
【００３０】
次に、図６から図１０ｂを参照して、本発明に係る第２の実施例についてより詳細に説明する。実質的に上記第１の実施例と同じ構成は同一符号を付する。
先ず、図６、図７ａ及び図７ｂを参照して、本発明の第２の実施例に係るデュアルベンチュリの全体構造を説明する。図６は、本発明の第２の実施例に係るデュアルベンチュリの分解斜視図である。また、図７は、本発明の第２の実施例のデュアルベンチュリであって、図７ａはダンパー部が閉じられた状態を示す縦断面図であり、図７ｂはダンパー部が開かれた状態を示す縦断面図をそれぞれ示す。
【００３１】
本発明に係るデュアルベンチュリは、空気が貫通する通路ダクトとして側壁の中間に１次ガス流入部４５を有する管形状部４０と、管形状部４０に位置して管形状部４０の下段４３から上段４４方向へ進む２次空気通路を開閉するダンパー部２０と、管形状部４０の側面に位置して管形状部側の第２の孔４２を介して挿入されたモータの回転軸１５がダンパー部側の第１の孔２３に結合されてダンパー部２０を回転させる駆動部１０と、そして管形状部４０の第１の孔４１を介して挿入され、ダンパー部側の第２の孔２７（図８ｃ参照）に連結されてダンパー部２０を介して２次ガスを供給する円筒状の２次ガス流入部６０からなる。
【００３２】
図６に示すように、管形状部４０は、中央部の径が上下両端部側より小径であって中央部の通路が狭く形成されている。この形状は、図７ａ及び図７ｂからより明瞭にわかる。しかしながら、管形状部４０の形状は、上下一定の円筒状にもでき、本発明においては、その形状を特定するものではない。
ダンパー部２０は、全体円盤状で一部が除去された形態のボディ部２９と、またボディ部の周りの一部が除去されてなる切欠部２６が形成され、ボディ部２９の上部表面には、２次ガスが出るスロット状の孔が４つ形成されたダンパー部側の２次ガス出口２２を有しており、これと対称するボディ部２９にもまた２次ガス出口を有してもよい。即ち、ガス出口２２が対応する下部表面にも形成されたことが確認できる。また、スロット状の孔は４つ示してあるが、必要に応じて適宜に変更でき、その形状も変更できる。
【００３３】
ダンパー部２０の切欠部２６は、管形状部４０の内径側の壁と一緒に閉鎖状態で１次空気が移動する通路が形成される。本発明の第２の実施例であって、２次空気通路の管形状部４０の形状と類似するベンチュリ形状を採ることもできる。図７ａ及び図７ｂに示すように、ダンパー部２０と接する２次ガス流入部６０の末端部はダンパー部の閉鎖孔２８によってやはり閉鎖された状態である。
【００３４】
２次ガス流入部６０は円筒状からなっており、管形状部側の第１の孔４１を介して挿入されてダンパー部側の第２の孔２７（図８ｃ参照）に結合される。この場合、２次ガス流入部６０は回転しないが、ダンパー部２０は回転できるので、２次ガス流入部６０は、モータの回転軸１５と相俟ってダンパー部２０の回転のための固定軸としての機能も兼ねている。２次ガス流入部６０のダンパー部側の開口は、上述のように閉鎖孔２８によってやはり閉鎖された状態となり、２次ガス流入部６０のダンパー部側付近の周りには、ダンパー部側の２次ガス出口２２と一致する形状の２次ガス流入部側の２次ガス出口３２が形成されている。２次ガス流入部側の２次ガス出口３２も対称形状に管の両側に出口を形成することもできるし、片側だけ出口を形成することもできる。図７ａはダンパー部２０が閉鎖された状態、即ち、管形状部４０の上下方向の通路が塞がり、ダンパー部２０の切欠部２６だけが管形状部４０の１次空気通路として用いられる状態を示す。言い換えれば、管形状部４０の横断面方向、即ち、水平面にダンパー部２０が置かれていて、１次ガス流入部４５だけが管形状部４０の内側壁へ開かれた状態であり（常時開かれた状態を保持する）、２次ガス流入部側の２次ガス出口３２は閉鎖された状態を示す。
【００３５】
図７ｂはダンパー部２０が開放された状態、即ち、管形状部４０の上下方向の通路が開かれて実質的に管形状部４０の横断面方向の水平面の大部分が空気通路として用いられる状態であって、いわば２次空気が通じる状態を示す。この場合、ダンパー部２０は、水平面に対して直交する垂直面に置かれ、１次ガス流入部４５だけでなく、２次ガス流入部側の２次ガス出口３２もダンパー部側の２次ガス出口２２と一緒に開かれた状態となる。これによって、１段階流通と２段階流通の両機能がともに行われることになる。
【００３６】
次に、図８ａから図９ｂを参照して、本発明の第２の実施例に係るデュアルベンチュリの動作を説明しながら、上述の構成説明において十分に説明されていない構成部分を更に説明する。
先ず、図８ａ、図８ｂ及び図８ｃは、本発明の第２の実施例に係るダンパー部２０が閉じられたデュアルベンチュリの状態を示す図であって、図８ａは斜視図であり、図８ｂは平断面図である。そして図８ｃは２次ガス流入部とダンパー部の各２次ガス出口との位置関係を示す断面図である。
【００３７】
図８ａの斜視図に示すように、ダンパー部２０が閉鎖される場合、管形状部４０とダンパー部２０との位置関係は、管形状部４０の上下方向の空気通路全体をダンパー部２０が遮断した状態であり、ダンパー部２０の切欠部２６と管形状部の内径側壁からなる半月状の断面積だけが実質的に管形状部４０の空気通路（１次空気通路）となる。即ち、ダンパー部２０が管形状部４０の横断面方向の水平面に置かれ、このとき、図８ｂから確認されるように、１次ガス流入部４５だけが管形状部４０側に開かれて（常時開かれた状態）、管形状部４０内に１次ガスが流れるようになり、２次ガス流入部側の２次ガス出口３２は、図８ｃに示すように、ダンパー部側の第２の孔２７の壁に塞がれて閉鎖される。即ち、閉鎖状態では、管形状部４０を通じて相対的に少量の１次空気と１次ガスが送られることになる。本実施例においては、切欠部２６と１次ガス流入部４５がダンパー部２０の閉鎖状態で互いに対向することになる。
【００３８】
図９ａ及び図９ｂは本発明に係る第２の実施例であって、ダンパー部が開かれたデュアルベンチュリの状態を示す図であって、図９ａは平断面図であり、図９ｂは２次ガス流入部とダンパー部の各２次ガス出口との位置関係を示す断面図である。
図９ａの斜視図に示すように、ダンパー部２０が開放される場合、管形状部４０とダンパー部２０との位置関係は管形状部４０の上下方向の空気通路全体をダンパー部２０が実質的に開放する状態であって、通路全体が空気の通路となる（２次空気通路）。即ち、管形状部４０の横断面方向に対し垂直面に、言い換えれば、ダンパー部２０が閉鎖状態に置かれた水平面方向に対して垂直方向に立てて置かれ、このとき、図９ａに示すように、１次ガス流入部４５を介して１次ガス５１が流れることに加え、２次ガス流入部側の２次ガス出口３２の方も開かれて２次ガスが流れ出る。
【００３９】
図９ｂを参照すれば、ダンパー部側の第２の孔２７の壁に形成されたダンパー部側の２次ガス出口２２と２次ガス流入部側の２次ガス出口３２が一致して相互に連通していることが分かる。
本実施例における２次ガス流入部側の２次ガス出口３２は、円周の片側だけに形成されてダンパー部２０の一つの側面の表面（例えば、管形状部４０の上下方向のうち、上方向側面）にだけ２次ガス５２が噴出されるが、例えば、円筒状の２次ガス流入部６０の壁側の円周の反体側（即ち、１８０°の方向）にも２次ガス流入部側の２次ガス出口３２を設けてダンパー部２０の上下方向へ２次ガスが噴出されるようにしてもよい。
【００４０】
本実施例におけるダンパー部側の１次ガス出口４５は、ダンパー部２０の切欠部２６と対向する構成になっているが、対向しないように角度を変えたり、上下の高さを変えたりして設けることもできる。
図１０ａ及び図１０ｂは、本発明における第２の実施例に係る駆動部のリミットスイッチにおいて、そのダンパー部と２次ガス流入部の２次ガス出口の位置関係を示す図であって、図１０ａは平面図であり、図１０ｂは側面図をそれぞれ示す。
【００４１】
図１０ａのリミットスイッチ１１において、符号２１１ａと２１１ｂはダンパー部側の２次ガス出口位置点を示し、２１１ｃと２１１ｄは２次ガス流入部側の２次ガス出口位置点をそれぞれ示し、２１１ｇはダンパー部側の位置探針棒、２１１ｈは２次ガス流入部側の位置探針棒をそれぞれ示す。ダンパー部側の位置探針棒２１１ｇにダンパー部側の２次ガス出口位置点２１１ａ、２１１ｂのいずれかが位置し、同様に２次ガス流入部側の位置探針棒２１１ｈに２次ガス流入部側の２次ガス出口位置点２１１ｃ、２１１ｄのいずれかが位置すれば、この場合は図８ｃのように２次空気と２次ガスが遮断された状態になる。即ち、ダンパー部２０が水平方向位置にある状態を示す。
【００４２】
そして、逆にダンパー部側の位置探針棒２１１ｇに２次ガス流入部側の２次ガス出口位置点２１１ｃ、２１１ｄのいずれかが位置し、同時に２次ガス流入部側の位置探針棒２１１ｈにダンパー部側の２次ガス出口位置点２１１ａ、２１１ｂのいずれかが位置すれば、この場合は、図９ｂのように２次空気と２次ガスが開放されて管形状部４０へ流れる状態になる。即ち、ダンパー部２０が垂直方向位置にある状態を示す。
【００４３】
図１０ｂを参照すれば、駆動部１０に含まれるモータ１３には同期式モータを用い、モータ１３の回転軸１５がダンパー部側の第１の孔２３に直接的に結合することができ、ＡＣモータを使用する従来技術において必然的に備えらなければならないワイヤ、復帰スプリングなどの構成要素を省けることから、本発明に係るデュアルベンチュリの構造がこの点においても従来技術に比べてより構成上簡素化できる。
【００４４】
以上、本発明の好ましい実施例について説明してきたが、本発明はこれに限定されることなく、当分野の通常の技術者にとって種々の変更、改良が可能なことは言うまでもない。例えば、リミットスイッチの組合せでは、ダンパー部側の探針棒と２次ガス流入部側の探針棒との各２次ガス出口の位置点が外れるときを２次ガス開放状態に設定したが、その逆にしても現実的に同じ結果を表示するように設定すれば差し支えない。また、１次ガス流入部の位置も、上記実施例においてはダンパー部の切欠部と対向する位置に設けているが、管形状部の回転角度と上下位置によって変更することもできる。即ち、明白に予想できる多様な変更及び変形例は、本発明の範囲に属することは明らかである。
【符号の説明】
【００４５】
１０  駆動部
１１  リミットスイッチ
１１ａ  ダンパー部側の２次ガス出口位置点
１１ｂ  ダンパー部側の２次ガス出口位置点
１１ｃ  ガス流入部側の２次ガス出口位置点
１１ｄ  ガス流入部側の２次ガス出口位置点
１１ｇ  ダンパー部側の位置探針棒
１１ｈ  ガス流入部側の位置探針棒
１５  モータの回転軸
２０  ダンパー部
２１  中央通路
２２  ダンパー部側の２次ガス出口
２３  ダンパー部側の第１の孔
２４  ダンパー部側の１次ガス出口
２６  切欠部
２７  ダンパー部側の第２の孔
２８  ダンパー部側の閉鎖孔
２９  ボディ部
３０  ガス流入部
３２  ガス流入部側の２次ガス出口
３３  ガス流入部側の１次ガス出口
４０  管形状部
４１  管形状部側の第１の孔
４２  管形状部側の第２の孔
４５  １次ガス流入部
５１  １次ガス
５２  ２次ガス
６０  ２次ガス流入部
【図１】
0005914703.tif 000002
【図２ａ】
0005914703.tif 000003
【図２ｂ】
0005914703.tif 000004
【図３ａ】
0005914703.tif 000005
【図３ｂ】
0005914703.tif 000006
【図３ｃ】
0005914703.tif 000007
【図４ａ】
0005914703.tif 000008
【図４ｂ】
0005914703.tif 000009
【図４ｃ】
0005914703.tif 000010
【図５ａ】
0005914703.tif 000011
【図５ｂ】
0005914703.tif 000012
【図６】
0005914703.tif 000013
【図７ａ】
0005914703.tif 000014
【図７ｂ】
0005914703.tif 000015
【図８ａ】
0005914703.tif 000016
【図８ｂ】
0005914703.tif 000017
【図８ｃ】
0005914703.tif 000018
【図９ａ】
0005914703.tif 000019
【図９ｂ】
0005914703.tif 000020
【図１０ａ】
0005914703.tif 000021
【図１０ｂ】
0005914703.tif 000022
【図１１】
0005914703.tif 000023